(57)【要約】【課題】体液の吸収性に優れ且つ液戻りを起こし難い吸収性物品を提供すること。【解決手段】吸収性コア４０の肌対向面側に、該吸収性コア４０から着用者の肌側への体液の移行を防止する液透過性の体液逆流防止層５が配されている。体液逆流防止層５は乾式不織布又は乾式ウエブを含んで構成されている。体液逆流防止層５の肌対向面５ａ及び非肌対向面５ｂには、それぞれ、撥水部５０及び親水部５１が配されている。体液逆流防止層５の肌対向面５ａにおける、該体液逆流防止層５の非肌対向面５ｂの撥水部５０に対応する部位に、親水部５１が位置し、且つ、該非肌対向面５ｂにおける、該肌対向面５ａの撥水部５０に対応する部位に、親水部５１が位置している。【選択図】図４
2015112341.tif 000002
【特許請求の範囲】
【請求項１】
排泄された体液を吸収保持する吸収性コアを具備し、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、
前記吸収性コアの肌対向面側に、該吸収性コアから着用者の肌側への体液の移行を防止する液透過性の体液逆流防止層が配されており、
前記体液逆流防止層は乾式不織布又は乾式ウエブを含んで構成され、
前記体液逆流防止層の肌対向面及び非肌対向面には、それぞれ、撥水部及び親水部が配されており、
前記体液逆流防止層の肌対向面における、該体液逆流防止層の非肌対向面の前記撥水部に対応する部位に、前記親水部が位置し、
前記体液逆流防止層の非肌対向面における、該体液逆流防止層の肌対向面の前記撥水部に対応する部位に、前記親水部が位置している吸収性物品。
【請求項２】
前記体液逆流防止層は、その肌対向面又は非肌対向面からの平面投影において一方の面の前記撥水部と他方の面の前記撥水部とがそれらの間に前記親水部を介在させずに配されてなる、撥水強化領域を有している請求項１記載の吸収性物品。
【請求項３】
前記体液逆流防止層の肌対向面又は非肌対向面からの平面投影において、一方の面の前記撥水部と他方の面の前記撥水部とが、縦方向又は横方向において交互に配されている請求項１又は２記載の吸収性物品。
【請求項４】
前記吸収性コアの肌対向面側に、着用時に着用者の肌と接触し得る表面シートが配されており、該表面シートと該吸収性コアとの間に前記体液逆流防止層が配されている請求項１〜３の何れか一項に記載の吸収性物品。
【請求項５】
前記体液逆流防止層の肌対向面の前記撥水部の総面積は、該体液逆流防止層の非肌対向面の前記撥水部の総面積に比して小さい請求項１〜４の何れか一項に記載の吸収性物品。
【請求項６】
前記体液逆流防止層の肌対向面における該肌対向面を横方向に二分する縦中心線上に、前記親水部が配されている請求項１〜５の何れか一項に記載の吸収性物品。
【請求項７】
前記体液逆流防止層の肌対向面及び非肌対向面それぞれの前記親水部は、縦方向の長さが横方向の長さよりも長い請求項１〜６の何れか一項に記載の吸収性物品。
【請求項８】
前記体液逆流防止層の肌対向面を横方向に横断する任意の１本の仮想直線上に、前記撥水部が配されている請求項１〜７の何れか一項に記載の吸収性物品。
【請求項９】
前記体液逆流防止層の肌対向面の前記親水部は、該体液逆流防止層の縁部に開放されている請求項１〜８の何れか一項に記載の吸収性物品。
【発明の詳細な説明】
【技術分野】
【０００１】
本発明は、使い捨ておむつ等の吸収性物品に関する。
【背景技術】
【０００２】
吸収性物品として、排泄された体液を吸収保持する吸収性コアを具備し、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品が知られている。斯かる構成の吸収性物品に関し、例えば特許文献１には、吸収性コアに吸収された経血等の体液を外部から視認し難くする目的で、吸収性コアの肌対向面側に、撥水性材料を含むカラーマスキング層を配することが記載されており、具体例として、カラーマスキング層が着用者の肌と接触し得る表面シートとして機能する形態、あるいは、吸収性コアの肌対向面側に表面シートが配され、該表面シートと吸収性コアとの間にカラーマスキング層を介在させた形態が記載されている。カラーマスキング層は、親水性不織布等の液透過性支持布と、該支持布の肌対向面側に配され、着色された疎水性材料が所定パターンで配置されたカラーパターンと含んで構成されている。
【０００３】
また特許文献２には、吸収性コアにおける体液の吸収に寄与する部分が、着用者の排泄部の近傍に位置する部分に集中し、吸収性コアの縦方向前後端部はほとんど吸収に寄与していない点に鑑み、表面シートに、平面視において縦方向に延びる透液性の透液領域と不透液性の不透液領域とを配置し、且つ該透液領域と該不透液領域とを横方向に交互に配置することが記載されている。この表面シートは、疎水性を有する不織布の一部に親水処理を施すことによって得られるもので、親水処理が施された部分が前記透液領域、親水処理が施されていない部分が前記不透液領域であり、少なくとも該領域不透液は、該表面シートの厚み方向の全域に亘って存在している。
【先行技術文献】
【特許文献】
【０００４】
【特許文献１】特表２００５−５２５１３２号公報
【特許文献２】特開２０１２−２５２号公報
【発明の概要】
【発明が解決しようとする課題】
【０００５】
使い捨ておむつ等の吸収性物品においては、排泄された尿等の体液は表面シートを透過して吸収性コアに吸収保持されるが、着用中の体圧等の影響により、吸収性コアに吸収保持された体液が着用者の肌側に逆戻りする、いわゆる液戻りが起こる場合がある。液戻りは、着用者に不快感を与え、ムレやカブレ等の皮膚トラブルの原因となり得る。吸収性物品の体液の吸収性に優れ且つ液戻りを起こし難い性能の両立については改善の余地がある。
【０００６】
従って本発明は、体液の吸収性に優れ且つ液戻りを起こし難い吸収性物品に関する。
【課題を解決するための手段】
【０００７】
本発明は、排泄された体液を吸収保持する吸収性コアを具備し、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、前記吸収性コアの肌対向面側に、該吸収性コアから着用者の肌側への体液の移行を防止する液透過性の体液逆流防止層が配されており、前記体液逆流防止層は乾式不織布又は乾式ウエブを含んで構成され、前記体液逆流防止層の肌対向面及び非肌対向面には、それぞれ、撥水部及び親水部が配されており、前記体液逆流防止層の肌対向面における、該体液逆流防止層の非肌対向面の前記撥水部に対応する部位に、前記親水部が位置し、前記体液逆流防止層の非肌対向面における、該体液逆流防止層の肌対向面の前記撥水部に対応する部位に、前記親水部が位置している吸収性物品を提供するものである。
【発明の効果】
【０００８】
本発明によれば、体液の吸収性に優れ且つ液戻りを起こし難い吸収性物品が提供される。
【図面の簡単な説明】
【０００９】
【図１】図１は、本発明の吸収性物品の一実施形態としての使い捨ておむつを各部の弾性部材を伸張させて平面状に拡げた展開状態を示す表面シート側（肌対向面側）の一部破断平面図である。
【図２】図２は、図１のＩ−Ｉ線断面の模式的な断面図である。
【図３】図３は、図１のＩ−Ｉ線断面の要部（表面シート、体液逆流防止層及び吸収体の積層構造）を模式的に示す断面図である。
【図４】図４は、図１に示すおむつの着用中における体液逆流防止層の状態を模式的に示す断面図であり、図４（ａ）は無加圧時の断面図、図４（ｂ）は加圧時の断面図である。
【図５】図５は、水通過時間の測定方法（液透過性の評価方法）の説明図である。
【図６】図６（ａ）〜図６（ｅ）は、それぞれ、本発明に係る体液逆流防止層の好ましい一例の肌対向面側を模式的に示す平面図である。
【図７】図７（ａ）〜図７（ｃ）は、それぞれ、本発明に係る体液逆流防止層の他の一例の肌対向面側を模式的に示す平面図である。
【図８】図８は、本発明に係る体液逆流防止層の更に他の一例の肌対向面側を模式的に示す平面図である。
【図９】図９は、本発明に係る体液逆流防止層の更に他の一例の肌対向面側を模式的に示す平面図である。
【発明を実施するための形態】
【００１０】
本発明の吸収性物品は、後で詳述するように、液透過性の体液逆流防止層を具備している。本発明に係る体液逆流防止層は、液透過性を有しており、より具体的には、下記方法によって測定される水通過時間が２０秒未満である。この水通過時間が短いほど、体液逆流防止層の液透過性（親水性）は高いと評価される。本発明に係る体液逆流防止層の水通過時間は、好ましくは１５秒未満、更に好ましくは１０秒未満である。
【００１１】
＜水通過時間の測定方法＞
図５に示すように、測定対象のシート９０（体液逆流防止層５）を、上下からゴムパッキン９２，９２を介して、直径３５ｍｍの一対のガラス製シリンダー９３，９４で挟持固定した状態下に、上側のシリンダー９３にイオン交換水４０ｇを供給する。イオン交換水の供給開始時から、シート９０を通過して下側のシリンダー９４に溜まったイオン交換水の重量が２０ｇになるまでの時間を測定し、この時間を水通過時間とする。イオン交換水の重量は、液受け皿９５を備えた電子天秤９６によって測定する。
【００１２】
以下、本発明の吸収性物品について、その好ましい一実施形態である使い捨ておむつに基づき図面を参照しながら説明する。本実施形態のおむつ１は、排泄された体液を吸収保持する吸収性コア４０を備え、着用状態において着用者の腹側に配される腹側部Ａ、背側に配される背側部Ｃ、及びそれらの間に位置して着用者股間部に配される股下部Ｂを有していると共に、縦方向Ｘとこれに直交する横方向Ｙとを有している。おむつ１の縦方向Ｘは、腹側部Ａと背側部Ｃとの間を股下部Ｂを介して延びる方向である。
【００１３】
更に説明すると、おむつ１は、いわゆる展開型の使い捨ておむつであり、図１及び図２に示すように、肌対向面を形成し、おむつ１の着用時に着用者の肌と接触し得る液透過性の表面シート２と、非肌対向面を形成する液不透過性ないし撥水性（以下、これらを総称して液不透過性という）の裏面シート３と、吸収性コア４０を含んで構成され、両シート２，３間に配置された液保持性の吸収体４とを具備し、図１に示す如き平面視において一方向（縦方向Ｘ）に長い形状をしており実質的に縦長である。
【００１４】
尚、本明細書において、肌対向面は、吸収性物品（おむつ１）又はその構成部材（例えば後述する体液逆流防止層５）における、吸収性物品の着用時に着用者の肌側に向けられる面であり、非肌対向面は、吸収性物品又はその構成部材における、吸収性物品の着用時に肌側とは反対側（着衣側）に向けられる面である。
【００１５】
表面シート２及び裏面シート３は、それぞれ、吸収体４（吸収性コア４０）よりも大きな寸法を有し、吸収体４の周縁から外方に延出している。裏面シート３は、図１に示す如き展開且つ伸張状態のおむつ１の外形を形成している。表面シート２及び裏面シート３としては、それぞれ、この種の吸収性物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。裏面シート３には、例えば、液不透過性のフィルムシート単独の形態と、該フィルムシートの非肌対向面（外表面）側に外装シート（例えば不織布）を積層配置した形態とがある。
【００１６】
おむつ１は、図１に示すように、着用時に着用者の腹側に配される腹側部Ａ、股間部に配される股下部Ｂ及び背側に配される背側部Ｃを縦方向Ｘに有している。腹側部Ａ、股下部Ｂ及び背側部Ｃは、裏面シート３（裏面シートの非肌対向面側に外装シートが配置されている場合は該外装シート）を縦方向Ｘ（裏面シート又は外装シートの長手方向）に３等分した場合の各部に相当し、その３つの部分うちの中間部が股下部Ｂである。おむつ１は、股下部Ｂの縦方向Ｘに沿う両側縁が内向きの円弧状に湾曲しており、図１に示す如き平面視において、縦方向Ｘの中央部が内方に括れた砂時計状の形状を有している。股下部Ｂは、着用時に着用者の排泄部に対向配置される排泄部対向部Ｄを含んでいる。排泄部対向部Ｄは、おむつ１の縦方向Ｘの中央（おむつ１を縦方向Ｘに二分する仮想中心線）よりもやや腹側部Ａ寄りに偏倚した位置にあり、本実施形態においては腹側部Ａと股下部Ｂとの境界及びその近傍にある。
【００１７】
吸収体４は、図１に示すように、液保持性の吸収性コア４０と、該吸収性コア４０の肌対向面及び非肌対向面を被覆する透水性のコアラップシート４１とを含んで構成されている。コアラップシート４１は、吸収性コア４０の横方向Ｙの長さの２倍以上３倍以下の幅を有する１枚の連続したシートである。コアラップシート４１は、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆している。吸収性コア４０とコアラップシート４１との間は、ホットメルト型接着剤等の公知の接合手段により接合されていても良い。吸収性コア４０としては、例えば、木材パルプ、親水化剤により処理された合繊繊維等の親水性繊維からなる繊維集合体、又は該繊維集合体に粒子状の吸水性ポリマーを保持させたもの等を用いることができる。コアラップシート４１としては、紙、不織布（親水化処理が施された繊維からなる親水性不織布）等を用いることができる。
【００１８】
腹側部Ａ及び背側部Ｃそれぞれのウエスト部（縦方向Ｘの端部）における表面シート２と裏面シート３との間には、糸状の弾性部材３１が横方向Ｙに沿って伸長状態で固定されており、これにより、おむつ１の着用時における該ウエスト部には、弾性部材３１の収縮によりウエストギャザーが形成される。また、着用者の脚周りに配される左右のレッグ部における表面シート２と裏面シート３との間には、糸状の弾性部材３２が縦方向Ｘに沿って伸長状態で固定されており、これにより、おむつ１の着用時におけるレッグ部には、弾性部材３２の収縮により一対のレッグギャザーが形成される。また、おむつ１の表面シート２側における縦方向Ｘに沿う左右両側には、それぞれサイドシート３４が配されている。サイドシート３４の内側縁部には、糸状の弾性部材３３が縦方向Ｘに沿って伸長状態で固定されており、これにより、おむつ１の着用時には弾性部材３３の収縮により少なくとも股下部Ｂに立体ギャザーが形成される。表面シート２、裏面シート３、吸収体４、各弾性部材３１，３２，３３及びサイドシート３４は、ホットメルト型接着剤等の公知の接合手段により互いに接合されている。
【００１９】
図１に示すように、おむつ１の背側部Ｃの縦方向Ｘに沿う両側縁部には、一対のファスニングテープ３５，３５が設けられている。ファスニングテープ３５には、機械的面ファスナーのオス部材からなる図示しない止着部が取り付けられている。また、おむつ１の腹側部Ａの非肌対向面（裏面シート３の非肌対向面）には、機械的面ファスナーのメス部材からなる被止着領域３６が形成されている。被止着領域３６は、裏面シート３の非肌対向面に、機械的面ファスナーのメス部材を公知の接合手段（例えば、接着剤やヒートシール等）で接合固定して形成されており、ファスニングテープ３５の前記止着部を着脱自在に止着可能になされている。
【００２０】
本実施形態のおむつ１の主たる特徴の１つとして、図１及び図２に示すように、吸収性コア４０の肌対向面側に、吸収性コア４０から着用者の肌側への体液の移行（いわゆる液戻り）を防止する液透過性の体液逆流防止層５が配されている点が挙げられる。体液逆流防止層５は基材（サブレイヤー）を含んで構成されており、該基材は単層構造のシート（乾式不織布）からなり、平面視において縦方向Ｘに長い矩形形状を有し、その長手方向を縦方向Ｘに一致させて、吸収体４の肌対向面上に配置されている。体液逆流防止層５の縦方向Ｘ及び横方向Ｙそれぞれの長さは、吸収体４（吸収性コア４０）のそれと同じであり、吸収体４の肌対向面（吸収性コア４０の肌対向面側のコアラップシート４１の肌対向面）の全域が体液逆流防止層５によって被覆されている。
【００２１】
図３には、図１のＩ−Ｉ線断面（股下部Ｂの縦方向中央部の横方向Ｙに沿う断面）の要部（表面シート２、体液逆流防止層５及び吸収体４の積層構造）が模式的に示されている。尚、図３及び後述する図４では、吸収体４を構成する吸収性コア４０及びコアラップシート４１（図１及び図２）の図示を省略し、吸収体４の図示を簡略化している。図３に示すように、体液逆流防止層５の肌対向面５ａ及び非肌対向面５ｂには、それぞれ、撥水部５０及び親水部５１が配されている。
【００２２】
図３に示すように、体液逆流防止層５の肌対向面５ａにおける、該体液逆流防止層５の非肌対向面５ｂの撥水部５０に対応する部位には、親水部５１が位置している。また、体液逆流防止層５の非肌対向面５ｂにおける、該体液逆流防止層５の肌対向面５ａの撥水部５０に対応する部位には、親水部５１が位置している。即ち、体液逆流防止層５の肌対向面５ａ又は非肌対向面５ｂからの平面投影において、肌対向面５ａの撥水部５０と非肌対向面５ｂの親水部５１とが重なっており、且つ肌対向面５ａの親水部５１と非肌対向面５ｂの撥水部５０とが重なっている。
【００２３】
また、体液逆流防止層５の肌対向面５ａ及びその近傍並びに非肌対向面５ｂ及びその近傍、即ち、体液逆流防止層５の表層部以外の部分（内部）は、親水部５１のみから構成されていて親水性であり、体液逆流防止層５において撥水部５０が配されているのは、表層部のみである。このように、体液逆流防止層５は親水部５１を主体としており、そのため、液透過性を有している。ここでいう「液透過性」については、前述した通りである。
【００２４】
図４には、おむつ１の着用中における体液逆流防止層５の状態が示されている。図４（ａ）は無加圧時（着用者の体圧がかかっていない時）、図４（ｂ）は加圧時（着用者の体圧がかかっている時）を示している。おむつ１の着用中において、着用者の排泄部から尿等の体液が排泄されると、その体液は表面シート２に最初に接触し、これを厚み方向に透過して体液逆流防止層５に到達する。このとき、おむつ１の着用者が立位姿勢をとっている等により、体液逆流防止層５に着用者の体圧がかかっていない無加圧時であれば、体液は図４（ａ）中矢印で示すように、体液逆流防止層５の肌対向面５ａの親水部５１から速やかに内部に引き込まれ、吸収体４側に向かって体液逆流防止層５を厚み方向に移行し、該親水部５１と平面視において重なる非肌対向面５ｂの撥水部５０に到達する。撥水部５０は体液の透過を阻害するため、体液は、非肌対向面５ｂにおいて最初に到達した撥水部５０を透過せずに、その近傍の親水部５１に移行し、そこから吸収体４へ移行する。このように、無加圧時においては体液逆流防止層５の内部には体液の流路が形成されているため、体液逆流防止層５は優れた液透過性を示し、体液の吸収速度は損なわれない。
【００２５】
一方、従来の使い捨ておむつ（体液逆流防止層５を具備していないおむつ）の場合、該おむつの着用者が立位から座位へ姿勢を変化させる等により、その内部の吸収体に着用者の体圧がかかると、該吸収体に吸収保持されている尿等の体液が着用者の肌側に逆戻りし、着用者の肌に付着するおそれがあった。これに対し、本実施形態のおむつ１においては、吸収体４の加圧時には、その肌対向面側に配されている体液逆流防止層５は、図４（ｂ）に示すように厚み方向に圧縮されて厚みが薄くなるように変形し、肌対向面５ａの撥水部５０と非肌対向面５ｂの撥水部５０とが近接するようになり、その結果、無加圧時には存在していた体液の層厚み方向の流路が著しく縮小されるか、あるいは消失する。こうして圧縮変形した体液逆流防止層５は、吸収体４から表面シート２側への体液の移行を阻害するので、液戻りが効果的に抑制される。
【００２６】
また、体液逆流防止層５は、単層構造のシートの両面（肌対向面及び非肌対向面）に撥水部５０が配されている構成を有しているものであるが、斯かる構成に代えて、単層構造のシートを２枚積層してなる二層構造物を、本発明に係る体液逆流防止層とすることも考えられ、その場合、二層構造物を構成する一方の層及び他方の層の非肌対向面それぞれに、撥水部及び親水部が配されている形態が考えられる。しかし、このような二層構造物は、その製造時や使用時（おむつ着用時）に外力により、一方の層と他方の層との位置関係に意図しないズレが生じ、それによって撥水部及び親水部が適正位置からずれてしまい、前述した作用効果が奏されないおそれがある。これに対し、本実施形態の体液逆流防止層５のように、単層構造のシートの両面に撥水部及び親水部が配されてなる体液逆流防止層は、二層構造物で懸念される位置ズレがなく、撥水部及び親水部の適正位置が維持されるので、前述した作用効果が安定して奏される。
【００２７】
親水部５１は、下記方法（液滴法）により測定される液滴移行後３０秒経過時点の液滴残存率が３０％以下であることが好ましく、２０％以下、特に０％が更に好ましい。
一方、撥水部５０は、下記方法（液滴法）により測定される液滴移行後３０秒経過時点の液滴残存率が８０％超であることが好ましく、下記方法（液滴法）により測定される液滴移行後１分経過時点の液滴残存率が１００％であることが更に好ましい。
前記液滴残存率は、測定対象部分の親水性（撥水性）の評価指標となるものであり、その数値が小さいほど、親水性が高い（撥水性が低い）と評価できる。
【００２８】
＜液滴残存率の測定方法（液滴法）＞
液滴形成が可能で１滴の重量が０．３〜０．３５ｇとなるスポイトを使用し、スポイトの先端に液滴を形成し、その液滴を測定サンプル（体液逆流防止層）の測定対象部分（撥水部又は親水部）に静かに移行する。液滴形成に使用する液体は水であり、使用するイオン交換水の表面張力を予め測定し、７０ｍＮ／ｍ以上であること確認しておく。液滴の移行は、測定サンプルにおける異なる１０箇所以上、好ましくは２０箇所以上の測定対象部分それぞれに対して行い、移行後３０秒経過時点又は１分経過時点での液滴の残存数を１００分率で算出し、その算出値を当該測定対象部分の液滴残存率とする。測定対象部分に液滴が残存しているか否かの判断は次のようにして行う。即ち、液滴と測定対象部分との接触面における（任意の位置における）幅と、液滴の頂点と該接触面の略中間点における幅とを比較し、該接触面における幅が該中間点における幅の１．２倍以内の場合は、液滴が残存しているとみなし、液滴がない場合、及び該接触面における幅が該中間点における幅の１．２倍を超える場合（即ち、液滴が広がっている場合）は、液滴が残存していないものとみなす。
【００２９】
本実施形態においては、体液逆流防止層５は、図１〜図３に示すように、表面シート２と吸収体４（吸収性コア４０）との間に配されている。即ち、体液逆流防止層５は露出しておらず、おむつ１の着用時に着用者の肌に触れないように配されている。本発明の吸収性物品においては、体液逆流防止層５は吸収性コア４０（吸収体４）の肌対向面側に配されていれば良く、本発明には、「体液逆流防止層５がおむつ１の肌対向面を形成し、着用者の肌と接触し得るように配されている形態」も含まれる。しかしながら、本実施形態のように、体液逆流防止層５が表面シート２と吸収体４との間に配されていると、その肌対向面５ａの撥水部５０は表面シート２で被覆されているため、該撥水部５０上に体液が溜まりにくく、仮に該撥水部５０上に体液が溜まったとしても、その体液と着用者の肌との間に表面シート２が介在しているため、体液が肌に触れることが効果的に防止されるので、前記「体液逆流防止層５がおむつ１の肌対向面を形成し、着用者の肌と接触し得るように配されている形態」より好ましい。
【００３０】
また、本実施形態においては、図３に示すように、体液逆流防止層５の肌対向面５ａにおける該肌対向面５ａを横方向Ｙに二分する縦中心線Ｃｘ上に、親水部５１が配されている。この肌対向面５ａにおける縦中心線Ｃｘと重なる部分（横方向中央）、特に股下部Ｂ（排泄部対向部Ｄ）における該部分は、排泄された体液の透過が必ず行われる部分であるところ、該部分に親水部５１が配されていることにより、該親水部５１を介して体液が速やかに体液逆流防止層５の内部に引き込まれて吸収体４側へ移行されるようになるため、該部分に撥水部５０が配されている場合に比して吸収速度が向上する。斯かる作用効果をより確実に奏させるようにする観点から、体液逆流防止層５の肌対向面５ａにおける縦中心線Ｃｘと重なる部分の親水部５１の横方向Ｙの長さ（幅）は、該親水部５１の横方向Ｙの両側に位置する撥水部５０のそれと同じか、それよりも長いことが好ましい。
【００３１】
液戻りをより確実に防止する観点から、体液逆流防止層５は、その肌対向面５ａ又は非肌対向面５ｂからの平面投影において、一方の面５ａ（又は面５ｂ）の撥水部５０と他方の面５ｂ（又は面５ａ）の撥水部５０とがそれらの間に親水部５１を介在させずに配されてなる、撥水強化領域を有していることが好ましい。図３及び図４に示す体液逆流防止層５は、前記撥水強化領域そのものである。このような構成を有する撥水強化領域は、加圧時に図４（ｂ）に示すように、体液逆流防止層５の肌対向面５ａの親水部５１と非肌対向面５ｂの親水部５１とが重なり難いため、加圧時における体液の層厚み方向の流路の形成が著しく制限され、そのため、液戻り防止効果に優れる。
【００３２】
尚、前記撥水強化領域において、「親水部５１を介在させずに」には、体液逆流防止層５の平面投影において一方の面の撥水部５０と他方の面の撥水部５０との間に、親水部５１が全く存在しない形態のみならず、体液逆流防止層５の製造工程における加工誤差等により意図せずに、親水部５１のごく一部が存在する形態も含まれる。より具体的には、体液逆流防止層５の肌対向面５ａの撥水部５０の面積が、該撥水部５０に対応する（層５の平面投影において重なる）非肌対向面５ｂの親水部５１の面積の９０％以上であり、且つ非肌対向面５ｂの撥水部５０の面積が、該撥水部５０に対応する（層５の平面投影において重なる）肌対向面５ａの親水部５１の面積の９０％以上である場合は、体液逆流防止層５の平面投影において一方の面の撥水部５０と他方の面の撥水部５０との間に、親水部５１は介在されていないと言える。一方の面の撥水部５０の面積がこれに対応する親水部の面積の１００％である場合は、体液逆流防止層５の平面投影において一方の面の撥水部５０と他方の面の撥水部５０との間に親水部５１が全く存在しない形態である。
【００３３】
また、図３及び図４に示す体液逆流防止層５は、一方の面の撥水部５０に対し他方の面の親水部５１が１対１で対応し且つ一方の面の親水部５１に対し他方の面の撥水部５０が１対１で対応しており、体液逆流防止層５の平面投影において一方の面の撥水部５０（親水部５１）と、これに対応する他方の面の親水部５１（撥水部５０）とが完全に一致しているが、前記撥水強化領域には、図３及び図４に示す形態のみならず、体液逆流防止層５の平面投影において一方の面の親水部５１の全体が、これに対応する他方の面の撥水部５０の中に含まれる形態、つまり、互いに対応関係にある（層５の平面投影において重なる）撥水部５０と親水部５１とにおいて該撥水部５０の方が大きい形態も含まれる。このような、相対的に撥水部５０が大きい形態は、加圧時において、体液の層厚み方向の流路の形成がより一層制限されるため、液戻りをより効果的に防止し得る。
【００３４】
体液逆流防止層５は前記撥水強化領域を、少なくとも股下部Ｂ（排泄部対向部Ｄ）に有していることが好ましい。即ち、少なくとも体液逆流防止層５における股下部Ｂ（排泄部対向部Ｄ）に位置する部分の全体が、前記撥水強化領域であることが好ましい。体液逆流防止層５全体が前記撥水強化領域であっても勿論構わない。前記撥水強化領域の面積は、体液逆流防止層５の面積に対して、好ましくは２０％以上、更に好ましくは３０％以上である。また、前記撥水強化領域の面積は、好ましくは７０００ｍｍ2以上、更に好ましくは１２０００ｍｍ2以上である。
【００３５】
体液逆流防止層５は、通常、親水性材料からなる基材（親水性不織布等）の一部（基材の両面）に撥水部５０を形成することによって製造される。即ち、体液逆流防止層５は、親水性の基材と撥水部５０とを含んで構成されて得る。従って、斯かる製造方法によって製造された体液逆流防止層５においては、撥水部５０以外の部分は、親水性材料からなる親水部５１であり、親水性を有し（撥水性を有しておらず）、体液吸収能を有している。
【００３６】
体液逆流防止層５としては、不織布に界面活性剤による親水化処理が施されてなる、親水性不織布を含むものが好ましい。即ち、体液逆流防止層５の好ましい一例として、斯かる親水性不織布の一部に撥水部５０を形成したものが挙げられる。この親水性不織布としては、例えば、エアスルー不織布、エアレイド不織布、ニードルパンチ不織布、スパンレース不織布、スパンボンド不織布、メルトブロー不織布等が挙げられる。
【００３７】
体液逆流防止層５を構成する親水性不織布として特に好ましいものは、親水性の乾式不織布である。ここでいう乾式不織布は、紡績工程でのカードを使用し、又は空気中に分散した繊維をシート状に積層し、１つ又は２つ以上の結合方法で作製された不織布を意味する。親水性の乾式不織布は、他の不織布、例えば湿式不織布あるいはスパンボンド式、メルトブロー式、フラッシュ紡糸式等の紡糸直結式不織布に比して、嵩高で厚みが大きいため、親水性の乾式不織布を含んで構成される体液逆流防止層５は、図４（ａ）に示す如き無加圧時には、十分な厚みがあって広い流路を有しているため液透過性に優れる。湿式不織布等の他の不織布は、無加圧時でも厚みが比較的薄いため流路が狭く、厚みを大きくするために高坪量にすると、高密度になるため、加圧時に圧縮変形し難くなって液戻りを抑制し難い。無加圧時における液透過性と加圧時における圧縮変形のしやすさとのバランスの観点から、体液逆流防止層５を構成する親水性の乾式不織布として好ましいものは、例えば、ケミカルボンド式、サーマルボンド式、ニードルパンチ式、スパンレース式等の結合方法によって得られた不織布であり、特に好ましいものは、親水性のエアスルー不織布である。
【００３８】
体液逆流防止層５を構成する親水性材料としては、親水性繊維が好ましく用いられ、具体的には例えば、ポリビニルアルコール繊維、ポリアクリロニトリル繊維等の親水性合成織維；ポリエチレンテレフタレート（ＰＥＴ）繊維、ポリエチレン（ＰＥ）繊維、ポリプロピレン（ＰＰ）繊維、ポリエステル繊維等の、撥水性の合成繊維を界面活性剤により親水化処理した親水化処理済合成繊維等が挙げられ、これらの１種を単独で又は２種以上を組み合わせて用いることができる。親水性繊維は、単一繊維でも良く、芯鞘型又はサイド・バイ・サイド型の複合繊維、分割繊維、異形断面繊維等でも良い。これらの親水性繊維は、１種を単独で又は２種以上を組み合わせて用いることができる。
【００３９】
また、体液逆流防止層５には、これらの親水性繊維（親水性を元来有さない繊維）の他に必要に応じ、親水性を元来有する繊維、例えば、木材パルプや綿等の天然セルロース繊維；レーヨン繊維等の再生セルロース繊維；木材パルプをマーセル化処理してなるマーセル化パルプ、セルロース繊維の分子内及び分子間を架橋して得られる架橋セルロース繊維等の嵩高性セルロース繊維を用いることもできる。これらの親水性を元来有する繊維を用いる場合は、不織布の形態に限らず、空気中に分散した繊維をシート状に積層した乾式ウエブや、紙に成型して用いることもできる。市販のマーセル化パルプの例としては、ITT Rayonier Inc. 製の「FILTRANIER」（商品名）や同社製の「POROSANIER」（商品名）等が挙げられ、市販の架橋セルロース繊維の例としては、Weyerhaeuser Paper Co.製の「High Bulk Additive」（商品名）が挙げられる。嵩高性セルロース繊維を用いることで体液逆流防止層５が嵩高なものとなり、それによって、体液逆流防止層５の液透過性が向上し得る。
【００４０】
体液逆流防止層５の構成繊維（親水性繊維）の繊維径は、体液逆流防止層５を比較的低密度で嵩高にする観点から、好ましくは３．３ｄｔｅｘ以上、更に好ましくは４．４ｄｔｅｘ以上、そして、好ましくは１０ｄｔｅｘ以下、より具体的には、好ましくは３．３〜１０ｄｔｅｘ、更に好ましくは４．４〜１０ｄｔｅｘである。繊維径の測定は、走査型電子顕微鏡観察を用いて常法に従って行い、２０本以上の繊維の平均値を、当該繊維の繊維径とする。
【００４１】
体液逆流防止層５の坪量は、好ましくは１５ｇ／ｍ2以上、更に好ましくは２５ｇ／ｍ2以上、そして、好ましくは６０ｇ／ｍ2以下、更に好ましくは４５ｇ／ｍ2以下、より具体的には、好ましくは１５〜６０ｇ／ｍ2、更に好ましくは２５〜４５ｇ／ｍ2である。
体液逆流防止層５の０．５ｇ／ｍ2荷重下における厚みは、好ましくは０．５ｍｍ以上、更に好ましくは１ｍｍ以上、そして、好ましくは３ｍｍ以下、更に好ましくは２ｍｍ以下、より具体的には、好ましくは０．５〜３ｍｍ、更に好ましくは１〜２ｍｍである。尚、体液逆流防止層の厚み測定において０．５ｇ／ｍ2の荷重をかける理由は、測定値のばらつきを抑えるためであり、０．５ｇ／ｍ2荷重下での厚みは、無荷重下での厚みと実質的に同じである。
【００４２】
撥水部５０は、撥水性を有し、体液吸収能を有しておらず、撥水性材料からなる。撥水部５０を構成する撥水性材料としては、例えば、１）撥水性を有する合成樹脂製のフィルム材、２）該合成樹脂を繊維原料とし且つ親水化処理が施されていないウエブ又は不織布、３）親水性繊維を界面活性剤で処理する等して得られる、表面が疎水性の繊維を積繊してなるウエブ又は不織布が挙げられる。撥水部５０を構成する撥水性材料として使用可能な前記不織布としては、例えば、スパンボンド不織布、スパンボンド−メルトブローン（ＳＭ）不織布、スパンボンド−メルトブローン−スパンボンド（ＳＭＳ）不織布、スパンボンド−メルトブローン−メルトブローン−スパンボンド（ＳＭＭＳ）不織布等が挙げられる。これらの撥水性材料の中でも特に、前記１）のフィルム材は、高い撥水性を発揮し、液戻りをより効果的に防止し得るため、撥水部５０として好ましく用いられる。
【００４３】
体液逆流防止層５の製造に際し、親水性材料からなる基材（親水性の乾式不織布等）の一部（基材の両面）に撥水部５０を形成する方法としては、例えば、ａ）前記基材（親水性のエアスルー不織布等）の両面の所定部位に、前記撥水性材料（フィルム材等）をホットメルト型接着剤等の接着剤により接着する方法、ｂ）前記基材（親水性の乾式ウエブ等）の一部に前記撥水性材料（撥水性のウエブ等）を重ね合わせ、両者を一体に形成する（不織布化する）方法、ｃ）前記基材に撥水剤を塗布する方法が挙げられる。前記ｃ）の方法において、撥水剤としては、パラフィン系、ピリジニウム塩型、メチロールアミド型、エチレンウレア型、シリコーン型、クロミッククロライド型、フツ素化合物型等が挙げられ、特に制限はない。また、撥水剤の塗布方法も特に制限されず、この種の撥水剤を塗布する際に利用される公知の方法を用いることができ、一般的な塗料の塗布方法の他、公知の印刷方法を用いることもできる。特に、スクリーン印刷法、グラビア塗工法は、低塗布量と模様状パターン塗布が可能であることから、撥水剤の基材への塗布方法（体液逆流防止層の製造方法）として本発明で好ましく用いられる。
【００４４】
前述した体液逆流防止層５による作用効果をより確実に奏させるようにするためには、体液逆流防止層５の肌対向面５ａ又は非肌対向面５ｂからの平面投影において、一方の面５ａ（又は面５ｂ）の撥水部５０と他方の面５ｂ（又は面５ａ）の撥水部５０とが、縦方向Ｘ又は横方向Ｙにおいて交互に配されていることが好ましい。図３及び図４では、一方の面の撥水部５０と他方の面の撥水部５０とが横方向Ｙに交互に配されている。
【００４５】
図６〜図９には、本発明に係る体液逆流防止層の他の実施形態の肌対向面５ａ側が例示されている。後述する他の実施形態については、前記実施形態（体液逆流防止層５）と異なる構成部分を主として説明し、同様の構成部分は同一の符号を付して説明を省略する。特に説明しない構成部分には、前記実施形態についての説明が適宜適用される。尚、図６〜図９では、体液逆流防止層の肌対向面のみを示し、該体液逆流防止層の非肌対向面は図示してないが、特に断らない限り、図示しない該非肌対向面には、図６〜図９に示した肌対向面５ａに対し前述した関係を満たすように撥水部５０及び親水部５１が配されている。また、図６〜図９中のＸ方向及びＹ方向は、図１における縦方向Ｘ及び横方向Ｙと、それぞれ一致している。
【００４６】
体液逆流防止層５Ａ〜５Ｊ（図６〜図９参照）においては、肌対向面５ａの撥水部５０の総面積Ｓ１は、該体液逆流防止層５Ａ〜５Ｊの非肌対向面５ｂの撥水部５０の総面積Ｓ２に比して小さい。斯かる構成（面積Ｓ１＜面積Ｓ２）により、体液が、体液逆流防止層５Ａ〜５Ｅの肌対向面５ａ側に広く存在している親水部５１から、体液逆流防止層５Ａ〜５Ｅの内部へと速やかに移行するようになる。また、肌対向面５ａの撥水部５０上という、着用者の肌に近い位置での体液の残存を効果的に抑制することができる。
【００４７】
前述した作用効果をより確実に奏させるようにする観点から、肌対向面５ａの撥水部５０の総面積Ｓ１と非肌対向面５ｂの撥水部５０の総面積Ｓ２との比（Ｓ１／Ｓ２）は、好ましくは０．５以上、更に好ましくは０．６以上、そして、好ましくは１以下、更に好ましくは０．８以下、より具体的には、好ましくは０．５〜１、更に好ましくは０．６〜０．８である。
【００４８】
また、体液逆流防止層５Ａ〜５Ｅ（図６参照）、５Ｉ（図８参照）及び５Ｊ（図９参照）のように、肌対向面５ａ及び非肌対向面５ｂそれぞれの親水部５１は、縦方向Ｘの長さＬｘが横方向Ｙの長さＬｙよりも長いことが好ましい。斯かる構成（長さＬｘ＞長さＬｙ）により、尿等の体液は肌対向面５ａの各親水部５０にて縦方向Ｘに拡散されやすくなり、それによって体液の横方向Ｙへの拡散が抑制され、横漏れが効果的に防止される。また、肌対向面５ａから体液逆流防止層５Ａ〜５Ｅ、５Ｉ、５Ｊの内部へと移行した体液は、非肌対向面５ｂの撥水部５０（図６、８、９では図示せず）によってはじかれることで、排泄による体液の非肌対向面５ｂ側への移行速度（流速）が低下するため、より一層親水部５１に沿って縦方向Ｘに拡散しやすくなり、それによって、縦方向Ｘの広い範囲での体液の吸収が促進され、結果として、吸収体４（吸収性コア４０）の縦方向Ｘの前後に位置する部分の利用効率を改善でき、股下部Ｂ（排泄部対向部Ｄ）にて体液が残留する現象（液溜まり）を抑制できる。更に、体液が吸収体４の横方向Ｙへ過度に拡散することも抑制でき、結果として、股下部Ｂでの横方向Ｙへの液漏れを防止できる。
【００４９】
前述した作用効果をより確実に奏させるようにする観点から、肌対向面５ａ及び非肌対向面５ｂそれぞれの親水部５１において、縦方向Ｘの長さＬｘと横方向Ｙの長さＬｙとの比（Ｌｘ／Ｌｙ）は、好ましくは２以上、更に好ましくは５以上、そして、好ましくは７００以下、更に好ましくは４００以下、より具体的には、好ましくは２〜７００、更に好ましくは５〜４００である。
【００５０】
体液逆流防止層５Ｉ（図８参照）においては、肌対向面５ａの親水部５１は、該体液逆流防止層５Ｉの縁部に開放されており、撥水部５０に包囲されていないため、体液の拡散が起こりやすく、吸収体４（吸収性コア４０）の利用効率の点で、体液逆流防止層５Ｊ（図９参照）に勝る。また、体液逆流防止層５Ｉにおいては、特に肌対向面５ａの親水部５１の面積が小さくなり（面積５００ｍｍ2以下になり）、吸収速度が遅くなることが防止される。
【００５１】
体液逆流防止層５Ａ（図６（ａ）参照）、体液逆流防止層５Ｂ（図６（ｂ）参照）及び体液逆流防止層５Ｃ（図６（ｃ）参照）においては何れも、肌対向面５ａに、縦方向Ｘに延びる平面視直線状（矩形形状）の撥水部５０と同方向に延びる平面視直線状（矩形形状）の親水部５１とがそれぞれ複数配され、且つ撥水部５０と親水部５１とが横方向Ｙに交互に配されている。
【００５２】
体液逆流防止層５Ｄ（図６（ｄ）参照）においては、肌対向面５ａに、縦方向Ｘ及び横方向Ｙの両方向に交差する交差方向に延びる平面視直線状（矩形形状）の撥水部５０と同方向に延びる平面視直線状（矩形形状）の親水部５１とがそれぞれ複数配され、且つ撥水部５０と親水部５１とが、該交差方向と直交する方向に交互に配されている。体液逆流防止層５Ｄにおいて、撥水部５０又は親水部５１の横方向Ｙとのなす角度αは、好ましくは４５°以上、更に好ましくは６０°以上、そして、好ましくは１３５°以下、更に好ましくは１２０°以下、より具体的には、好ましくは４５〜１３５°、更に好ましくは６０〜１２０°である。
【００５３】
体液逆流防止層５Ｅ（図６（ｅ）参照）においては、肌対向面５ａに、平面視四角形形状（矩形形状）の撥水部５０が離散的なパターンで複数配されており、肌対向面５ａにおける撥水部５０以外の部分は親水部５１である。複数の撥水部５０は千鳥状に配されている。ここで千鳥状とは、複数の撥水部５０が一方向（縦方向Ｘ）に等間隔に配置されてなる列が、該一方向と直交する方向（横方向Ｙ）に複数列配され、且つ該一方向と直交する方向（横方向Ｙ）において、隣り合う２列どうしで互いに撥水部５０がずれている配置をいう。横方向Ｙに隣接する、縦方向Ｘに延びる撥水部５０の列どうしの間には、親水部５１からなる隙間が設けられており、各撥水部５０は親水部５１で包囲されている。
【００５４】
また、体液逆流防止層５Ａ〜５Ｅ（図６参照）のように、該体液逆流防止層５Ａ〜５Ｅの肌対向面５ａを横方向Ｙに横断する任意の１本の仮想直線Ｐ上に、撥水部５０が配されていることが好ましい。斯かる構成により、表面シート２を透過して体液逆流防止層５Ａ〜５Ｅの肌対向面５ａの中央部（股下部Ｂの横方向Ｙの中央部）に到達した体液が、肌対向面５ａを横方向Ｙに拡散して該体液逆流防止層の横方向Ｙの端部に到達するまでに、該体液は必ず撥水部５０を通過することになるので、該体液の横方向Ｙへの拡散が一層効果的に抑制される。
【００５５】
また、体液逆流防止層５Ａ〜５Ｅにおいては、図６に示すように、肌対向面５ａの親水部５１は、該体液逆流防止層５Ａ〜５Ｅの縁部に開放されている、即ち、該体液逆流防止層５Ａ〜５Ｅの縦方向Ｘ又は横方向Ｙの端部の何れかに接している。斯かる構成により、肌対向面５ａにおいて体液が親水部５１に沿って拡散されやすくなることで、吸収体４（吸収性コア４０）の利用効率をより一層改善できる。
【００５６】
以上、本発明について説明したが、本発明は、前述した実施形態に制限されず適宜変更可能である。例えば前記実施形態では、親水性の乾式不織布等からなる基材（サブレイヤー）の肌対向面及び非肌対向面それぞれの全域に撥水部５０が所定のパターンで配されてなる、体液逆流防止層５は、吸収体４の肌対向面の全域を被覆していたが、別の形態として、体液逆流防止層５が吸収体４の肌対向面の一部のみを被覆する形態（以下、形態αともいう）でも良い。形態αにおいては、体液逆流防止層５を構成する前記基材自体が吸収体４よりも小さく、吸収体４の肌対向面の全域を被覆し得る大きさを有していない。形態αにおいては、体液逆流防止層５は、少なくとも股下部Ｂ（排泄部対向部Ｄ）における吸収体４の肌対向面を覆うように配置されることが好ましい。例えば、体液逆流防止層５を股下部Ｂ（排泄部対向部Ｄ）のみに配置し、腹側部Ａ及び背側部Ｃには配置しない場合、液戻りしやすい股下部Ｂ（排泄部対向部Ｄ）では、体液逆流防止層５により効果的に液戻りが抑制され、腹側部Ａ及び背側部では、体液逆流防止層５（前記基材）が存していないため、股下部Ｂに比して薄さや柔らかさに優れ、また撥水部が存在しないため、体液が速やかに吸収される。
【００５７】
また前記実施形態では、撥水部５０は、前記基材の肌対向面及び非肌対向面それぞれの全域に所定のパターンで配されており、該基材全体が体液逆流防止層となっていたが、本発明には、該基材の一部のみがその両面に撥水部が所定のパターンで配された体液逆流防止層となっている形態、即ち、前記基材と体液逆流防止層とが面方向に連続して一体となっている形態（以下、形態βともいう）も含まれる。形態βの一例として、前記基材は、吸収体の肌対向面の全域を被覆し得る大きさを有し、該基材における股下部Ｂ（排泄部対向部Ｄ）に位置する部分のみが、肌対向面及び非肌対向面それぞれの全域に撥水部が所定のパターンで配されてなる、体液逆流防止層となっており、該基材の他の部分（例えば腹側部Ａ、背側部Ｃ）は、撥水部を有していない形態が挙げられる。形態βによっても、前記形態αと同様の効果が奏される。
【００５８】
また、前記実施形態では、コアラップシート４１は１枚であったが、吸収性コア４０の肌対向面を被覆する１枚と非肌対向面を被覆する他の１枚との計２枚であっても良い。また、本発明の吸収性物品は、展開型の使い捨ておむつに制限されず、人体から排出される体液（尿、経血、軟便、汗等）の吸収に用いられる物品を広く包含し、パンツ型の使い捨ておむつ、生理用ナプキン、生理用ショーツ等も包含される。前述した本発明の実施形態に関し、更に以下の付記を開示する。
【００５９】
＜１＞
排泄された体液を吸収保持する吸収性コアを具備し、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、
前記吸収性コアの肌対向面側に、該吸収性コアから着用者の肌側への体液の移行を防止する液透過性の体液逆流防止層が配されており、
前記体液逆流防止層は乾式不織布又は乾式ウエブを含んで構成され、
前記体液逆流防止層の肌対向面及び非肌対向面には、それぞれ、撥水部及び親水部が配されており、
前記体液逆流防止層の肌対向面における、該体液逆流防止層の非肌対向面の前記撥水部に対応する部位に、前記親水部が位置し、
前記体液逆流防止層の非肌対向面における、該体液逆流防止層の肌対向面の前記撥水部に対応する部位に、前記親水部が位置している吸収性物品。
＜２＞
前記体液逆流防止層は、その肌対向面又は非肌対向面からの平面投影において一方の面の前記撥水部と他方の面の前記撥水部とがそれらの間に前記親水部を介在させずに配されてなる、撥水強化領域を有している前記＜１＞記載の吸収性物品。
【００６０】
＜３＞
前記体液逆流防止層の肌対向面の前記撥水部の面積は、該撥水部に対応する（該体液逆流防止層の平面投影において重なる）該体液逆流防止層の非肌対向面の前記親水部の面積の９０％以上であり、且つ該非肌対向面の前記撥水部の面積は、該撥水部に対応する（該体液逆流防止層の平面投影において重なる）該体液逆流防止層の肌対向面の前記親水部の面積の９０％以上である前記＜２＞記載の吸収性物品。
＜４＞
前記体液逆流防止層の一方の面の前記撥水部の面積がこれに対応する前記親水部の面積の１００％であり、該体液逆流防止層の平面投影において該一方の面の撥水部と該他方の面の撥水部との間に前記親水部が存在していない前記＜２＞又は＜３＞記載の吸収性物品。
＜５＞
前記体液逆流防止層の平面投影において一方の面の前記撥水部（前記親水部）と、これに対応する他方の面の前記親水部（前記撥水部）とが完全に一致している前記＜２＞〜＜４＞の何れか１に記載の吸収性物品。
＜６＞
前記体液逆流防止層の平面投影において一方の面の前記親水部の全体が、これに対応する他方の面の前記撥水部の中に含まれているか、又は、互いに対応関係にある（該体液逆流防止層の平面投影において重なる）前記撥水部と前記親水部とにおいて該撥水部の方が大きい前記＜２＞〜＜４＞の何れか１に記載の吸収性物品。
＜７＞
前記体液逆流防止層は、前記撥水強化領域を少なくとも前記股下部（排泄部対向部）に有している前記＜２＞〜＜６＞の何れか１に記載の吸収性物品。
＜８＞
前記体液逆流防止層の全体が前記撥水強化領域である前記＜２＞〜＜７＞の何れか１に記載の吸収性物品。
【００６１】
＜９＞
前記体液逆流防止層の肌対向面又は非肌対向面からの平面投影において、一方の面の前記撥水部と他方の面の前記撥水部とが、縦方向又は横方向において交互に配されている前記＜１＞〜＜８＞の何れか１に記載の吸収性物品。
＜１０＞
前記体液逆流防止層５は、前記撥水部が設けられる基材を含んで構成されており、該基材は単層構造の親水性の乾式不織布からなる前記＜１＞〜＜９＞の何れか１に記載の吸収性物品。
＜１１＞
前記乾式不織布は、ケミカルボンド式、サーマルボンド式、ニードルパンチ式及びスパンレース式からなる群から選択される１種の結合方法によって得られた不織布、又は親水性のエアスルー不織布である前記＜１＞〜＜１０＞の何れか１に記載の吸収性物品。
【００６２】
＜１２＞
前記吸収性コアの肌対向面側に、着用時に着用者の肌と接触し得る表面シートが配されており、該表面シートと該吸収性コアとの間に前記体液逆流防止層が配されている前記＜１＞〜＜１１＞の何れか１に記載の吸収性物品。
＜１３＞
前記体液逆流防止層の肌対向面の前記撥水部の総面積は、該体液逆流防止層の非肌対向面の前記撥水部の総面積に比して小さい前記＜１＞〜＜１２＞の何れか１に記載の吸収性物品。
＜１４＞
前記体液逆流防止層の肌対向面の前記撥水部の総面積Ｓ１と該体液逆流防止層の非肌対向面の前記撥水部の総面積Ｓ２との比（Ｓ１／Ｓ２）は、好ましくは０．５以上、更に好ましくは０．６以上、そして、好ましくは１以下、更に好ましくは０．８以下である前記＜１２＞又は＜１３＞記載の吸収性物品。
【００６３】
＜１５＞
前記体液逆流防止層の肌対向面における該肌対向面を横方向に二分する縦中心線上に、前記親水部が配されている前記＜１＞〜＜１４＞の何れか１に記載の吸収性物品。
＜１６＞
前記体液逆流防止層の肌対向面における前記縦中心線と重なる部分の前記親水部の横方向の長さは、該親水部の横方向の両側に位置する前記撥水部のそれと同じか、それよりも長い前記＜１５＞記載の吸収性物品。
＜１７＞
前記体液逆流防止層の肌対向面及び非肌対向面それぞれの前記親水部は、縦方向の長さが横方向の長さよりも長い前記＜１＞〜＜１６＞の何れか１に記載の吸収性物品。
＜１８＞
前記体液逆流防止層の肌対向面及び非肌対向面それぞれの前記親水部において、縦方向の長さＬｘと横方向の長さＬｙとの比（Ｌｘ／Ｌｙ）は、好ましくは２以上、更に好ましくは５以上、そして、好ましくは７００以下、更に好ましくは４００以下である前記＜１７＞記載の吸収性物品。
【００６４】
＜１９＞
前記体液逆流防止層の肌対向面を横方向に横断する任意の１本の仮想直線上に、前記撥水部が配されている前記＜１＞〜＜１８＞の何れか１に記載の吸収性物品。
＜２０＞
前記体液逆流防止層の肌対向面の前記親水部は、該体液逆流防止層の縁部に開放されている前記＜１＞〜＜１９＞の何れか１に記載の吸収性物品。
＜２１＞
吸収体の肌対向面（前記吸収性コアの肌対向面側のコアラップシートの肌対向面）の全域が前記体液逆流防止層によって被覆されている前記＜１＞〜＜２０＞の何れか１に記載の吸収性物品。
＜２２＞
前記体液逆流防止層の表層部以外の部分（内部）は、前記親水部のみから構成されていて親水性である前記＜１＞〜＜２１＞の何れか１に記載の吸収性物品。
＜２３＞
前記体液逆流防止層は液透過性を有しており、水通過時間が好ましくは１５秒未満、更に好ましくは１０秒未満である前記＜１＞〜＜２２＞の何れか１に記載の吸収性物品。
【００６５】
＜２４＞
前記親水部は、液滴法により測定される液滴移行後３０秒経過時点の液滴残存率が好ましくは３０％以下、更に好ましくは２０％以下、特に好ましくは０％である前記＜１＞〜＜２３＞の何れか１に記載の吸収性物品。
＜２５＞
前記撥水部は、液滴法により測定される液滴移行後３０秒経過時点の液滴残存率が８０％超であるか、又は、液滴法により測定される液滴移行後１分経過時点の液滴残存率が１００％である前記＜１＞〜＜２４＞の何れか１に記載の吸収性物品。
＜２６＞
前記体液逆流防止層は、親水性材料からなる基材の一部（基材の両面）に前記撥水部を形成することによって得られたものである前記＜１＞〜＜２５＞の何れか１に記載の吸収性物品。
【００６６】
＜２７＞
前記体液逆流防止層の坪量は、好ましくは１５ｇ／ｍ2以上、更に好ましくは２５ｇ／ｍ2以上、そして、好ましくは６０ｇ／ｍ2以下、更に好ましくは４５ｇ／ｍ2以下である前記＜１＞〜＜２６＞の何れか１に記載の吸収性物品。
＜２８＞
前記体液逆流防止層の０．５ｇ／ｍ2荷重下における厚みは、好ましくは０．５ｍｍ以上、更に好ましくは１ｍｍ以上、そして、好ましくは３ｍｍ以下、更に好ましくは２ｍｍ以下である前記＜１＞〜＜２７＞の何れか１に記載の吸収性物品。
＜２９＞
前記撥水部を構成する撥水性材料は、下記１）〜３）からなる群から選択される１種以上である前記＜１＞〜＜２８＞の何れか１に記載の吸収性物品。
１）撥水性を有する合成樹脂製のフィルム材。
２）該合成樹脂を繊維原料とし且つ親水化処理が施されていないウエブ又は不織布。
３）親水性繊維を界面活性剤で処理する等して得られる、表面が疎水性の繊維を積繊してなるウエブ又は不織布。
＜３０＞
前記体液逆流防止層は、親水性材料からなる基材の一部（基材の両面）に前記撥水部を形成して得られたものであり、該基材の一部に該撥水部を形成する方法は、下記ａ）〜ｄ）からなる群から選択される１種以上である前記＜１＞〜＜２９＞の何れか１に記載の吸収性物品。
ａ）前記基材の両面の所定部位に、前記撥水性材料を接着剤により接着する方法。
ｂ）前記基材の一部に撥水性材料を重ね合わせ、両者を一体に形成又は不織布化する方法。
ｃ）前記基材に撥水剤を塗布する方法。
【００６７】
＜３１＞
前記体液逆流防止層の肌対向面に、縦方向に延びる平面視直線状（矩形形状）の前記撥水部と同方向に延びる平面視直線状（矩形形状）の前記親水部とがそれぞれ複数配され、且つ該撥水部と該親水部とが横方向に交互に配されている前記＜１＞〜＜３０＞の何れか１に記載の吸収性物品。
＜３２＞
前記体液逆流防止層の肌対向面に、縦方向及び横方向の両方向に交差する交差方向に延びる平面視直線状（矩形形状）の前記撥水部と同方向に延びる平面視直線状（矩形形状）の前記親水部とがそれぞれ複数配され、且つ該撥水部と該親水部とが、該交差方向と直交する方向に交互に配されている前記＜１＞〜＜３０＞の何れか１に記載の吸収性物品。
＜３３＞
前記体液逆流防止層の肌対向面に、平面視四角形形状（矩形形状）の前記撥水部が千鳥状に配されており、各該撥水部は前記親水部で包囲されている前記＜１＞〜＜３２＞の何れか１に記載の吸収性物品。
＜３４＞
前記体液逆流防止層は、無加圧時においては内部に体液の流路が形成されている前記＜１＞〜＜３３＞の何れか１に記載の吸収性物品。
【実施例】
【００６８】
以下、本発明を実施例により更に具体的に説明するが、本発明は斯かる実施例に限定されるものではない。
【００６９】
〔実施例１〕
常法に従い、図１〜図３に示すおむつ１と同様の基本構成を有する展開型使い捨ておむつを作製した。
表面シートとして、坪量２５ｇ／ｍ2のエアスルー不織布を用い、裏面シートとして、坪量２０ｇ／ｍ2の液不透過性且つ透湿性のポリエチレン製樹脂フィルム（炭酸カルシウム配合）を用いた。
吸収性コアとしては、繊維集合体に粒子状の吸水性ポリマーを保持させたものとして、フラッフパルプ２００ｇ／ｍ2と吸水性ポリマー１８６ｇ／ｍ2との均一混合物からなる総坪量３８６ｇ／ｍ2の吸収性コアを用いた。この吸収性コアの縦方向（長手方向）の全長は３６０ｍｍ、横方向（幅方向）の全長（最大長さ）は１１０ｍｍであった。コアラップシートとして、坪量１３．５ｇ／ｍ2の液透過性のティッシュペーパーを用い、吸収性コアの全面を該コアラップシートで被覆して吸収体を得た。
体液逆流防止層としては、界面活性剤によって構成繊維表面を親水化した親水性のエアスルー不織布（親水性の乾式不織布）に、撥水部を形成したものを用いた。このエアスルー不織布（体液逆流防止層）は、縦方向（長手方向）の全長２４０ｍｍ、横方向（幅方向）の全長は７５ｍｍの平面視矩形形状を有し、坪量は４０ｇ／ｍ2、０．５ｇ／ｍ2荷重下における厚みは１．３５ｍｍであった。また、このエアスルー不織布の構成繊維は、芯成分樹脂がポリエステル、鞘成分樹脂がポリエチレンである芯鞘型複合繊維であり、繊維径は４．４ｄｔｅｘであった。このエアスルー不織布の両面それぞれに、坪量２０ｇ／ｍ2、横方向（幅方向）長さ１５ｍｍの複数の帯状のポリエチレン製樹脂フィルム（撥水性材料）を、図３及び図６（ａ）に示す縞状パターンで接着剤を用いて接着し、該エアスルー不織布の両面それぞれの縦方向（長手方向）の全長に亘って延びる直線状の撥水部を複数形成して、体液逆流防止層を得た。この体液逆流防止層の液滴残存率を前記方法により測定した結果、親水部の液滴残存率は３０％、撥水部の液滴残存率は１００％であった。体液逆流防止層は、股下部の縦方向の全長に亘るように、表面シートと吸収体との間に配置した。
【００７０】
〔比較例１〕
前記エアスルー不織布に撥水部を形成せず、該エアスルー不織布をそのまま体液逆流防止層として用いた以外は、実施例１と同様にして展開型使い捨ておむつを作製した。
【００７１】
〔比較例２〕
前記エアスルー不織布の肌対向面のみに図６（ａ）に示すパターンで撥水部を形成したものを体液逆流防止層として用いた以外は、実施例１と同様にして展開型使い捨ておむつを作製した。
【００７２】
〔比較例３〕
前記エアスルー不織布の肌対向面の全域に前記ポリエチレン製樹脂フィルムを接着し、該肌対向面の全域に撥水部を形成したものを体液逆流防止層として用いた以外は、実施例１と同様にして展開型使い捨ておむつを作製した。
【００７３】
〔評価〕
各実施例及び比較例のおむつについて、液戻り量を下記方法により評価した。その結果を下記表１に示す。
【００７４】
＜液戻り量の測定方法＞
測定対象のおむつを平面状に広げて肌対向面側（表面シート側）が上を向くように水平に載置し、３０ｇの人工尿を流速５ｇ／秒で２回注入した（合計６０ｇ注入）。１回目の注入後、５分経過後に２回目の注入を行った。人工尿の注入箇所は、吸収体の縦方向（長手方向）における腹側部側の端部から縦方向内方に１３０ｍｍ離間した位置の横方向中央部とした。おむつに２回目の人工尿を注入した後これを１０分間放置し、しかる後、１０ｍｍ四方のろ紙（ADVANTEC社製の硬質ろ紙４Ａ）を７ｃｍ四方に切断して１０枚重ねたものを、おむつにおける人工尿の注入箇所に載せ、該ろ紙の上から７ｋＰａの加圧を１分間行い、おむつ（吸収性コア）に吸収保持されていた人工尿を該ろ紙に吸収させた。その後、人工尿を吸収したろ紙の重量を測定した。この重量から吸収前のろ紙の重量を差し引き、ろ紙に吸収された人工尿の重量を算出して液戻り量とした。液戻り量が少ないほど、表面シートに液が残りにくく液戻り防止性に優れ、高評価となる。人工尿の組成は次の通り。尿素１．９４質量％、塩化ナトリウム０．７９５４質量％、硫酸マグネシウム（七水和物）０．１１０５８質量％、塩化カルシウム（二水和物）０．０６２０８質量％、硫酸カリウム０．１９７８８質量％、ポリオキシエチレンラウリルエーテル０．００３５質量％及びイオン交換水（残量）。
【００７５】
【表１】
2015112341.tif 000003
【００７６】
表１に示す通り、実施例１は、各比較例に比して液戻り量が少なく、液戻りを起こし難いおむつであった。これに対し、比較例１は、体液逆流防止層の肌対向面及び非肌対向面の何れにも撥水部が配されていないため、また比較例２は、体液逆流防止層の肌対向面には撥水部が配されているものの、非肌対向面には撥水部が配されていないため、何れも実施例１に比して液戻り量が多かった。また比較例３は、体液逆流防止層の肌対向面の全域が撥水部であるため、そもそも注入した人工尿が吸収性コアにほとんど吸収されず、測定不可となった。
【符号の説明】
【００７７】
１  使い捨ておむつ（吸収性物品）
２  表面シート
３  裏面シート
４  吸収体
４０  吸収性コア
４１  コアラップシート
５，５Ａ〜５Ｊ  体液逆流防止層
５ａ  体液逆流防止層の肌対向面
５ｂ  体液逆流防止層の非肌対向面
５０  撥水部
５１  親水部
Ａ  腹側部
Ｂ  股下部
Ｃ  背側部
Ｄ  排泄部対向部
【図１】
2015112341.tif 000004
【図２】
2015112341.tif 000005
【図３】
2015112341.tif 000006
【図４】
2015112341.tif 000007
【図５】
2015112341.tif 000008
【図６】
2015112341.tif 000009
【図７】
2015112341.tif 000010
【図８】
2015112341.tif 000011
【図９】
2015112341.tif 000012